(57)【要約】【課題】電源スイッチとして機能させるキーをユーザが自由に設定できる携帯端末装置の消費電力を少なくする。【解決手段】ユーザは、携帯端末装置１の電源を投入する場合、自身が予め定めておいた電源投入用キー操作を行う。電源制御回路４は、携帯端末装置１が備えている複数のキー２−１〜２−ｎの内の何れかが操作されることにより電源を投入する。これにより、本体制御部５は、動作を開始し、電源投入用キー操作として予めユーザによって指定されたキー操作が行われたか否かを判定する。そして、行われていないと判定した場合は、不正な利用者がキー操作を行ったと判断し、電源制御回路４に対して電源オフ信号を送信する。電源オフ信号ｂを受信した電源制御回路４では、電源を遮断する。【選択図】図２
2008153935.tif 000002
【特許請求の範囲】
【請求項１】
複数のキーを備えた携帯端末装置において、
前記複数のキーの内の何れかが操作されることにより電源を投入し、電源オフ信号を受信することにより電源を遮断する電源制御回路と、
電源の投入により動作を開始し、電源投入用キー操作として予めユーザによって指定されたキー操作が行われたかどうかを判定し、行われていなければ電源オフ信号を前記電源制御回路へ送信する本体制御部とを備えたことを特徴とする携帯端末装置。
【請求項２】
請求項１記載の携帯端末装置において、
前記本体制御部は、動作開始後に最初に検出したキー操作が、電源投入用キー操作として予めユーザによって指定されたキー操作と同じかどうかを判定することを特徴とする携帯端末装置。
【請求項３】
請求項１記載の携帯端末装置において、
前記電源制御回路が電源を投入する契機に使用したキー操作の内容を保持する記憶部を有し、前記本体制御部は、前記記憶部に保持されているキー操作が、電源投入用キー操作として予めユーザによって指定されたキー操作と同じかどうかを判定することを特徴とする携帯端末装置。
【請求項４】
請求項１記載の携帯端末装置において、
前記電源投入用キー操作が、複数のキー操作の組み合わせであることを特徴とする携帯端末装置。
【請求項５】
請求項１記載の携帯端末装置において、
前記本体制御部が、電源投入用キー操作として予めユーザによって指定されたキー操作が行われた場合、認証処理を行うことを特徴とする携帯端末装置。
【請求項６】
複数のキーを備えた携帯端末装置の電源制御方法において、
電源制御回路が、前記複数のキーの内の何れかが操作されることにより電源を投入し、
本体制御部が、電源の投入により動作を開始し、電源投入用キー操作として予めユーザによって指定されたキー操作が行われたかどうかを判定し、行われていなければ電源オフ信号を前記電源制御回路へ送信し、
前記電源制御回路が、電源オフ信号を受信することにより電源を遮断することを特徴とする携帯端末装置の電源制御方法。
【請求項７】
請求項６記載の携帯端末装置の電源制御方法において、
前記本体制御部は、動作開始後に最初に検出したキー操作が、電源投入用キー操作として予めユーザによって指定されたキー操作と同じかどうかを判定することを特徴とする携帯端末装置の電源制御方法。
【請求項８】
請求項６記載の携帯端末装置の電源制御方法において、
前記電源制御回路が電源を投入する契機に使用したキー操作の内容を記憶部に保持させ、
前記本体制御部は、前記記憶部に保持されているキー操作が、電源投入用キー操作として予めユーザによって指定されたキー操作と同じかどうかを判定することを特徴とする携帯端末装置の電源制御方法。
【請求項９】
複数のキーと、前記複数のキーの内の何れかが操作されることにより電源を投入し、電源オフ信号を受信することにより電源を遮断する電源制御回路とを備えたコンピュータを、
電源の投入により動作を開始し、電源投入用キー操作として予めユーザによって指定されたキー操作が行われたかどうかを判定し、行われていなければ電源オフ信号を前記電源制御回路へ送信する本体制御部として機能させるためのプログラム。
【請求項１０】
請求項９記載のプログラムにおいて、
前記本体制御部は、動作開始後に最初に検出したキー操作が、電源投入用キー操作として予めユーザによって指定されたキー操作と同じかどうかを判定することを特徴とするプログラム。
【請求項１１】
請求項９記載のプログラムにおいて、
前記コンピュータが、前記電源制御回路が電源を投入する契機に使用したキー操作の内容を保持する記憶部を有し、且つ、
前記本体制御部は、前記記憶部に保持されているキー操作が、電源投入用キー操作として予めユーザによって指定されたキー操作と同じかどうかを判定することを特徴とするプログラム。
【発明の詳細な説明】
【技術分野】
【０００１】
本発明は、携帯電話機などの携帯端末装置に関し、特に、電源スイッチとして機能させるキーをユーザが自由に設定することができる携帯端末装置に関する。
【背景技術】
【０００２】
従来の携帯電話機などの携帯端末装置は、電源スイッチが固定的に定められているものが一般的であった。このため、従来の一般的な携帯端末装置は、ユーザによっては使い勝手が悪いという問題があると共に、セキュリティが低下するという問題があった。使い勝手に関しては、例えば、右利きのユーザが操作しやすいキーに電源スイッチが割り当てられている場合には、左利きのユーザにとっては使い勝手が悪くなることがある。また、セキュリティに関しては、電源スイッチの押下後に、暗証番号の入力を求める認証用ソフトウェアを起動し、正しい暗証番号が入力された場合のみ、携帯端末装置の利用を可能にするという方法を利用することより、ある一定の効果は得られるが、電源が入り認証用ソフトウェアが起動する分だけセキュリティが低下してしまう。
【０００３】
また、携帯電話機が備えている複数のキーの中から、電源スイッチとして機能させるキーをユーザが自由に選択できるようにした携帯電話機も従来から提案されている（例えば、特許文献１参照）。
【０００４】
この特許文献１に記載されている携帯電話機は、電源スイッチの設定時にユーザが最初に操作したキーを電源スイッチに割り当てるようにしている。そして、電源スイッチに割り当てられたキーのキー情報はメモリに格納され、ＣＰＵが行う電源スイッチ監視処理において利用される。ＣＰＵは、上記メモリに格納されたキー情報が示すキー（電源スイッチ）が操作されたか否かを常時監視し、電源が遮断されている時に電源スイッチが操作されたことを検出した場合には、電源を投入し、電源が投入されている時に電源スイッチが操作されたことを検出した場合には、電源を遮断するという電源スイッチ監視処理を実行する。
【０００５】
【特許文献１】特開２０００−２８５０８０号公報
【発明の開示】
【発明が解決しようとする課題】
【０００６】
特許文献１に記載されている従来の技術によれば、ユーザは、自身が使い易いキーを電源スイッチとすることができるので、使い勝手が向上する。また、携帯電話機を不正に利用しようとしても、ユーザによって設定された電源スイッチを操作しなければ、電源がオンとならないので、セキュリティが向上する。
【０００７】
しかし、特許文献１に記載されている従来の技術は、電源を遮断している場合も、ＣＰＵによる電源スイッチ監視処理が実行されるため、消費電力が多くなるという問題があった。
【０００８】
そこで、本発明の目的は、電源スイッチとして機能させるキーを自由に設定できるようにした携帯端末装置における消費電力を低減させることにある。
【課題を解決するための手段】
【０００９】
本発明にかかる第１の携帯端末装置は、
複数のキーを備えた携帯端末装置において、
前記複数のキーの内の何れかが操作されることにより電源を投入し、電源オフ信号を受信することにより電源を遮断する電源制御回路と、
電源の投入により動作を開始し、電源投入用キー操作として予めユーザによって指定されたキー操作が行われたかどうかを判定し、行われていなければ電源オフ信号を前記電源制御回路へ送信する本体制御部とを備えたことを特徴とする。
【００１０】
本発明にかかる第２の携帯端末装置は、第１の携帯端末装置において、
前記本体制御部は、動作開始後に最初に検出したキー操作が、電源投入用キー操作として予めユーザによって指定されたキー操作と同じかどうかを判定することを特徴とする。
【００１１】
本発明にかかる第３の携帯端末装置は、第１の携帯端末装置において、
前記電源制御回路が電源を投入する契機に使用したキー操作の内容を保持する記憶部を有し、前記本体制御部は、前記記憶部に保持されているキー操作が、電源投入用キー操作として予めユーザによって指定されたキー操作と同じかどうかを判定することを特徴とする。
【００１２】
本発明にかかる第４の携帯端末装置は、第１の携帯端末装置において、
前記電源投入用キー操作が、複数のキー操作の組み合わせであることを特徴とする。
【００１３】
本発明にかかる第５の携帯端末装置は、第１の携帯端末装置において、
前記本体制御部が、電源投入用キー操作として予めユーザによって指定されたキー操作が行われた場合、認証処理を行うことを特徴とする。
【００１４】
本発明にかかる第１の携帯端末装置の電源制御方法は、
複数のキーを備えた携帯端末装置の電源制御方法において、
電源制御回路が、前記複数のキーの内の何れかが操作されることにより電源を投入し、
本体制御部が、電源の投入により動作を開始し、電源投入用キー操作として予めユーザによって指定されたキー操作が行われたかどうかを判定し、行われていなければ電源オフ信号を前記電源制御回路へ送信し、
前記電源制御回路が、電源オフ信号を受信することにより電源を遮断することを特徴とする。
【００１５】
本発明にかかる第２の携帯端末装置の電源制御方法は、第１の携帯端末装置の電源制御方法において、
前記本体制御部は、動作開始後に最初に検出したキー操作が、電源投入用キー操作として予めユーザによって指定されたキー操作と同じかどうかを判定することを特徴とする。
【００１６】
本発明にかかる第３の携帯端末装置の電源制御方法は、第１の携帯端末装置の電源制御方法において、
前記電源制御回路が電源を投入する契機に使用したキー操作の内容を記憶部に保持させ、
前記本体制御部は、前記記憶部に保持されているキー操作が、電源投入用キー操作として予めユーザによって指定されたキー操作と同じかどうかを判定することを特徴とする。
【００１７】
本発明にかかる第１のプログラムは、
複数のキーと、前記複数のキーの内の何れかが操作されることにより電源を投入し、電源オフ信号を受信することにより電源を遮断する電源制御回路とを備えたコンピュータを、
電源の投入により動作を開始し、電源投入用キー操作として予めユーザによって指定されたキー操作が行われたかどうかを判定し、行われていなければ電源オフ信号を前記電源制御回路へ送信する本体制御部として機能させる。
【００１８】
本発明にかかる第２のプログラムは、第１のプログラムにおいて、
前記本体制御部は、動作開始後に最初に検出したキー操作が、電源投入用キー操作として予めユーザによって指定されたキー操作と同じかどうかを判定することを特徴とする。
【００１９】
本発明にかかる第３のプログラムは、第１のプログラムにおいて、
前記コンピュータが、前記電源制御回路が電源を投入する契機に使用したキー操作の内容を保持する記憶部を有し、且つ、
前記本体制御部は、前記記憶部に保持されているキー操作が、電源投入用キー操作として予めユーザによって指定されたキー操作と同じかどうかを判定することを特徴とする。
【００２０】
〔作用〕
ユーザは、携帯端末装置の電源を投入する場合、自身が予め定めておいた電源投入用キー操作を行う。電源制御回路は、携帯端末装置が備えている複数のキーの内の何れかが操作されることにより電源を投入する。これにより、本体制御部は、動作を開始し、電源投入用キー操作として予めユーザによって指定されたキー操作が行われたか否かを判定する。そして、行われていないと判定した場合は、不正な利用者がキー操作を行ったと判断し、電源制御回路に対して電源オフ信号を送信する。電源オフ信号を受信した電源制御回路では、電源を遮断する。
【発明の効果】
【００２１】
本発明によれば、電源スイッチとして機能させるキーを自由に設定できるようにした携帯端末装置における消費電力を低減させることが可能になる。その理由は、携帯端末装置が備えている複数のキーの内の何れかが操作されることにより電源を投入する電源制御回路を備えると共に、電源の投入により動作を開始し、電源投入用キー操作として予めユーザによって指定されたキー操作が行われたかどうかを判定し、行われていなければ電源オフ信号を電源制御回路へ送信して電源を遮断させる本体制御部とを備えているからである。
【発明を実施するための最良の形態】
【００２２】
次に、本発明を実施するための最良の形態について図面を参照して詳細に説明する。
【００２３】
〔第１の実施の形態の構成の説明〕
図１を参照すると、本発明の第１の実施の形態にかかる携帯電話機などの携帯端末装置１は、テンキーやファンクションキー等の複数のキーを有するキー部２と、ＬＣＤ等の表示部３とを備えている。図２を参照すると、携帯端末装置１は、筐体内部に電源制御回路４と、本体制御部５と、電源投入用キー操作記憶部６と、バッテリ７とを備えている。なお、図２においては、キー部２に設けられているキーとしてｎ個のキー２−１〜２−ｎを示している。
【００２４】
電源制御回路４は、検出部４１と、制御部４２と、接点４３とを備えており、バッテリ７から常時動作電源が供給されている。
【００２５】
検出部４１は、複数のキー２−１〜２−ｎの内の何れかが操作されたことを検出すると、制御部４２に対して検出信号ａを出力する。
【００２６】
制御部４２は、検出部４１からの検出信号ａを受信すると接点４３をオン状態にし、本体制御部５を含む装置各部に動作電源を供給する。更に、制御部４２は、本体制御部５からの電源オフ信号ｂを受信すると、接点４３をオフ状態にし、動作電源の供給を停止する。
【００２７】
電源投入用キー操作記憶部６は、例えば、不揮発性メモリにより構成され、電源投入時にユーザが行うべきキー操作（電源投入用キー操作）の内容が登録される。
【００２８】
本体制御部５は、携帯端末装置１の制御を行う部分であり、例えば、ＣＰＵ（コンピュータ）により実現される。本体制御部５は、電源制御回路４によって電源が投入されることにより動作を開始し、電源投入用キー操作として、電源投入用キー操作記憶部６に登録されている電源投入用キー操作と同じキー操作が行われたか否かを判定し、行われていなければ、電源制御回路４に対して電源オフ信号ｂを送信する機能を有する。更に、本体制御部５は、ユーザの指示に従って電源投入用キー操作を設定させるための設定画面を表示部３に表示し、ユーザが上記設定画面を用いて設定した電源投入用キー操作の内容を電源投入用キー操作記憶部６へ登録する機能を有する。更に、本体制御部５は、電源が投入されている状態において、電源投入用キー操作が行われた場合、電源オフ信号ｂを出力する機能を有する。これらの機能以外にも、本体制御部５は、通常の携帯端末装置が備えている通話機能、認証機能などを実現するための機能を有している。なお、本体制御部５はＣＰＵ等によって実現されるため、その消費電力は、本体制御部５よりも多くなる。
【００２９】
なお、本体制御部５をコンピュータによって実現する場合には、例えば、次のようにする。コンピュータを本体制御部５として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータを本体制御部５として機能させる。
【００３０】
〔第１の実施の形態の動作の説明〕
次に、本実施の形態の動作について説明する。
【００３１】
〔電源投入時の動作〕
先ず、電源投入時の動作について説明する。ユーザは、携帯端末装置１の電源を投入する場合、キー部２を用いて電源を投入するための電源投入用キー操作を行う。電源投入用キー操作は、ユーザ自身が予め設定しておいたキー操作であり、ユーザは、任意のキー操作を電源投入用キー操作として設定することができる。例えば、単一キーの押下や、複数キーの同時押下などを電源投入用キー操作として設定することができる。なお、電源投入用キー操作の設定方法については、後で説明する。
【００３２】
電源制御回路４内の検出部４１は、図３（Ａ）に示すように、キー部２に設けられているキー２−１〜２−ｎの何れかが操作されたことを検出すると、制御部４２に対して検出信号ａを出力する。これにより、制御部４２は、図３（Ｂ）に示すように、接点４３をオン状態にし、本体制御部５などの装置各部に動作電源を供給する。
【００３３】
本体制御部５は、電源が投入されると動作を開始し、先ず、現時点において行われているキー操作を検出する（図４のステップＳ４１）。なお、ステップＳ４１の処理を開始した時点において、ユーザが既にキーから指を離してしまっている場合は、キー操作を検出することができないが、電源制御回路４及び本体制御部５の処理速度は、ユーザが行うキー操作に比べて十分に速いので、そのような事態が発生することはほとんどない。
【００３４】
その後、本体制御部５は、ステップＳ４１で検出したキー操作と、電源投入用キー操作記憶部６に登録されている電源投入用キー操作とが一致するか否かを判定する（ステップＳ４２）。
【００３５】
そして、両者が一致する場合（ステップＳ４２がＹＥＳ）は、認証機能の起動などのスタートアップ処理を開始する（ステップＳ４３）。例えば、電源投入用キー操作記憶部６にキー２−１、２−ｎのキー情報が登録されていれば、この２つのキー２−１、２−ｎが同時に操作された場合、ステップＳ４２の判断結果がＹＥＳとなる。これに対して、両者が一致しない場合（ステップＳ４２がＮＯ）は、不正利用であると判断し、終了処理を行った後（ステップＳ４３）、図３（Ｃ）に示すように、電源制御回路４に対して電源オフ信号ｂを出力する（ステップＳ４４、Ｓ４５）。
【００３６】
これにより、電源制御回路４内の制御部４３は、図３（Ｂ）に示すように、接点４３をオフ状態にし、電源を遮断する。
【００３７】
図３（Ｄ）は、電源投入時の消費電力を示している。本実施の形態では、キー操作が行われる前は、電源制御回路４のみに電源を供給し、ＣＰＵ等によって実現されている消費電力の多い本体制御部５には電源を供給しないようにしているので、消費電力を低く抑えることが可能になる。
【００３８】
なお、上述した説明では、ユーザが電源投入時にキー操作を１回だけ行うことを前提にしているが、電源投入時に複数回のキー操作を許可するようにしても良い。その場合には、ステップＳ４１において次のような処理を行うようにすれば良い。即ち、何らかのキー操作を検出するまでは、ステップＳ４１の処理を継続して行い、何らかのキー操作を最初に検出した時点でステップＳ４１の処理を終了する。但し、ステップＳ４１の処理を開始してから所定時間（例えば、５秒）が経過しても、何らかのキー操作を検出できなかった場合は、ステップＳ４１の処理を終了する。このようにすることにより、ステップＳ４１の開始時点においてユーザがキーから指を離してしまっている場合においても、ユーザが再度、電源投入用キー操作を行うことにより、電源を投入することが可能になる。
【００３９】
〔電源投入用キー操作の設定時の動作〕
次に、電源投入用キー操作の設定時の動作を説明する。ユーザは、電源投入用キー操作を設定する場合、メニューから電源投入用キー操作の設定を選択する。
【００４０】
これにより、本体制御部５は、図５のフローチャートに示すように表示部３に電源投入用キー操作の設定画面を表示する（ステップＳ５１）。ユーザは、設定画面が表示されると、例えば、電源投入時に操作するキーを全て押下することにより、電源投入用キー操作の内容を入力する。本体制御部５は、電源投入用キー操作の内容が入力されると、それを電源投入用キー操作記憶部６に格納する（ステップＳ５２がＹＥＳ、Ｓ５３）。
【００４１】
〔第１の実施の形態の効果〕
本実施の形態によれば、電源スイッチとして機能させるキーをユーザが自由に設定できるようにした携帯端末装置１における消費電力を低減させることが可能になる。その理由は、携帯端末装置１が備えている複数のキー２−１〜２−ｎの内の何れかが操作されることにより電源を投入する電源制御回路４を備えると共に、電源の投入により動作を開始し、電源投入用キー操作として予めユーザによって指定されたキー操作が行われたかどうかを判定し、行われていなければ電源オフ信号ｂを電源制御回路４へ送信して電源を遮断させる本体制御部５とを備えているからである。
【００４２】
〔第２の実施の形態〕
次に、本発明にかかる携帯端末装置の第２の実施の形態について説明する。本実施の形態は、電源制御回路が電源を投入する契機に使用したキー操作の内容を保持するキー操作記憶部を有し、本体制御部は、上記キー操作記憶部に保持されているキー操作が、電源投入用キー操作として予めユーザによって指定されたキー操作と同じかどうかを判定することを特徴とする。
【００４３】
〔第２の実施の形態の構成の説明〕
図６を参照すると、本実施の形態の携帯端末装置１ａは、電源制御回路４及び本体制御部５の代わりにそれぞれ電源制御回路４ａ及び本体制御部５ａを備えている点が、図２に示した第１の実施の形態の携帯端末装置１と相違している。
【００４４】
電源制御回路４ａは、キー操作記憶部４４が追加されている点が図２に示した電源制御回路４と相違している。
【００４５】
キー操作記憶部４４には、電源遮断後に最初に行われたキー操作の内容が保持される。このキー操作記憶部４４は、例えば、キー２−１〜２−ｎ毎のビットｂ１〜ｂｎを有し、電源オフ信号ｂが入力されることによりクリアされ、クリア後、最初に操作されたキーに対応するビットを有効にするレジスタ４５から構成することができる。なお、複数のキーが同時に操作された場合は、複数のビットが同時に有効にされる。
【００４６】
本体制御部５ａは、ユーザが電源投入用キー操作を行ったか否かを、キー操作記憶部４４に保持されているキー操作の内容と電源投入用キー操作記憶部６に保持されているキー操作の内容とに基づいて判定する点が、図２に示した本体制御部５と相違している。なお、本体制御部５ａも本体制御部５と同様にコンピュータにより実現することができる。
【００４７】
〔第２の実施の形態の動作の説明〕
次に、本実施の形態の動作について説明する。
【００４８】
電源が遮断されている状態において、ユーザが電源を投入するために電源投入用キー操作を行うと、電源制御回路４ａ内のキー操作記憶部４４は、そのキー操作の内容を保持し、検出部４１は、制御部４２に対して検出信号ａを出力する。ここで、レジスタ４５を用いてキー操作の内容を保持する場合には、操作されたキーに対応するビットを有効にする。なお、１ビットでも有効になっているビットが存在する場合には、キー操作が行われても、レジスタ４５の記憶内容は変更しない。
【００４９】
制御部４２は、検出信号ａが入力されると、接点４３をオン状態にし、本体制御部５ａを含む装置各部に電源を供給する。
【００５０】
本体制御部５ａは、電源が投入されることにより動作を開始し、図７のフローチャートに示す処理を行う。先ず、本体制御部５ａは、キー操作記憶部４４に登録されているキー操作（電源制御回路４ａが電源を投入する契機として使用したキー操作）の内容を入力する（ステップＳ７１）。
【００５１】
その後、本体制御部５ａは、ステップＳ７１で入力したキー操作の内容と、電源投入用キー操作記憶部６に登録されている電源投入用キー操作の内容とが一致するか否かを判定する（ステップＳ７２）。そして、両者が一致する場合（ステップＳ７２がＹＥＳ）は、認証機能の起動などのスタートアップ処理を開始する（ステップＳ７３）。これに対して、両者が一致しない場合（ステップＳ７２がＮＯ）は、終了処理を行った後、電源制御回路４ａに対して電源オフ信号ｂを出力する（ステップＳ７４、Ｓ７５）。
【００５２】
これにより、電源制御回路４ａ内の制御部４２は、接点４３をオフ状態にし、電源を遮断する。また、キー操作記憶部４４に記憶されていたキー操作の内容は、電源オフ信号ｂが出力されることによりクリアされる。これにより、キー操作保持部４４は、新たなキー操作が行われた場合、そのキー操作の内容を保持可能な状態になる。
【００５３】
〔第２の実施の形態の効果〕
本実施の形態によれば、第１の実施の形態が有している効果に加え、本体制御部５ａが動作を開始する前に、ユーザがキー操作（電源制御回路４ａが電源を投入する契機に使用したキー操作）を終了していても、ユーザが行ったキー操作が、ユーザによって予め指定されている電源投入用キー操作であるか否かを判定することが可能になるという効果を得ることができる。その理由は、電源制御回路４ａが電源をオンとする契機に使用したキー操作の内容を保持するキー操作記憶部４４を有し、本体制御部５ａは、上記キー操作記憶部４４に保持されているキー操作が、電源投入用キー操作として予めユーザによって指定されたキー操作と同じかどうかを判定するようにしているからである。
【００５４】
〔他の実施の形態〕
なお、上述した第１及び第２の実施の形態では説明しなかったが、電源の投入操作に失敗した回数（ステップＳ４２、Ｓ７２の判断結果がＮＯとなった回数）をメモリに記録しておき、その回数が所定回数以上になった場合には、携帯端末装置１、１ａを起動できなくするようにしても良い。このようにすることにより、セキュリティを高めることができる。更に、第１及び第２の実施の形態では、不揮発性メモリから構成される電源投入用キー操作記憶部６を利用するようにしたが、ＳＩＭ(subscriber identify module) カードを電源投入用キー操作記憶部６として利用するようにしても良い。このようにすることにより、ユーザが携帯端末装置を新たな携帯端末装置と交換するような場合、ＳＩＭカードを新たな携帯端末装置に実装するだけで、以前と同じキー操作で電源を投入することが可能になる。
【産業上の利用可能性】
【００５５】
本発明は、携帯電話機などの携帯端末装置の電源制御技術に利用可能である。
【図面の簡単な説明】
【００５６】
【図１】本発明にかかる携帯端末装置の第１の実施の形態の外観図である。
【図２】本発明にかかる携帯端末装置の第１の実施の形態の構成例を示すブロック図である。
【図３】電源制御回路４の動作を説明するためのタイムチャートである。
【図４】電源投入時における本体制御部５の処理例を示すフローチャートである。
【図５】電源投入用キー操作の設定時における本体制御部５の処理例を示すフローチャートである。
【図６】本発明にかかる携帯端末装置の第２の実施の形態の構成例を示すブロック図である。
【図７】電源投入時における本体制御部５ａの処理例を示すフローチャートである。
【符号の説明】
【００５７】
１、１ａ…携帯端末装置
２…キー部
２−１〜２−ｎ…キー
３…表示部
４、４ａ…電源制御回路
４１…検出部
４２…制御部
４３…接点
４４…キー操作記憶部
４５…レジスタ
５、５ａ…本体制御部
６…電源投入用キー操作記憶部
７…バッテリ
【図１】
2008153935.tif 000003
【図２】
2008153935.tif 000004
【図３】
2008153935.tif 000005
【図４】
2008153935.tif 000006
【図５】
2008153935.tif 000007
【図６】
2008153935.tif 000008
【図７】
2008153935.tif 000009